(57)【要約】【課題】識別信号の専用の試験器がなくとも、無線機の識別信号を検出して表示部に表示する無線機を提供する。【解決手段】送信信号を自己の無線機を示す識別信号とともに無線送信する無線機において、少なくとも識別信号を無線機内部で折り返し、該折り返した識別信号が表す番号を表示部に表示する無線機。【選択図】図１
2010213077.tif 000002
【特許請求の範囲】
【請求項１】
送信信号を自己の無線機を示す識別信号とともに無線送信する無線機において、
少なくとも前記識別信号を無線機内部で折り返し、
該折り返した識別信号が表す番号を表示部に表示することを特徴とする無線機。
【発明の詳細な説明】
【技術分野】
【０００１】
この発明は、無線機であって相手または自己の識別信号を画面表示する無線機に関する。
【背景技術】
【０００２】
従来から、簡易無線の無線機等においては、送信時に音声とともに識別信号（ＡＴＩＳ（Automatic Transmitter Identification System）信号）の送出が義務付けられている。本識別信号は無線機１台毎に異なる番号が割り当てられており、識別信号無しの電波を発射したり、自局に割り当てられた以外の番号で送信することは、電波法により禁止されている。このような識別信号送出機能をもった無線機が幾つか知られている。
【０００３】
特許文献１は、相手の無線機からの送信信号から識別信号を検出すると、一時的にスピーカへの信号供給を停止することで、送信の切り替えタイミングの不快音を回避する技術が開示されている。
【先行技術文献】
【特許文献】
【０００４】
【特許文献１】特開平９−２３１６９号公報
【発明の概要】
【発明が解決しようとする課題】
【０００５】
しかし、特許文献１の従来技術は、識別信号の応用という意味で識別信号を検出して利用しているだけである。従って、無線機が故障等により、本来送信すべき識別信号が送信されていないかどうかは専用の試験機を使用して確認しなければならず、無線機だけで容易に検出することができないため、故障に気づかずに無線機を使用することにより、結果的に識別信号無し、あるいは自局以外の識別信号を付して送信してしまうおそれがある。
【０００６】
本発明は、専用の試験機を必要とせず無線機の本体だけで、相手または自己の送信する識別信号を容易に検出することができる無線機を提供することを目的とする。
【課題を解決するための手段】
【０００７】
課題を解決する一実施形態は、
送信信号を自己の無線機を示す識別信号とともに無線送信する無線機において、
少なくとも前記識別信号を無線機内部で折り返し、
該折り返した識別信号が表す番号を表示部に表示することを特徴とする無線機である。
【発明の効果】
【０００８】
無線機に識別信号の復号部を設けることで、識別信号検出の専用器がなくとも無線機の本体により識別信号が正常に送信されているかを確認することができる。
【図面の簡単な説明】
【０００９】
【図１】本発明の一実施形態に係る無線機の構成の一例を示すブロック図。
【図２】当該無線機の識別信号の送信タイミングの一例を示すタイミングチャート。
【図３】一般的な無線機の識別信号の試験を行うための識別信号受信試験器の一例を示すブロック図。
【図４】当該無線機の第１識別信号確認モードにおける識別信号の確認処理の一例を示す説明図。
【図５】当該無線機の第２識別信号確認モードにおける識別信号の確認処理の一例を示す説明図。
【発明を実施するための形態】
【００１０】
以下、この発明の実施の形態について図面を参照して詳細に説明する。  
図１は、本発明の一実施形態に係る無線機の構成の一例を示すブロック図である。無線機１は、送信部１１と、受信部１２と、アンテナ１３と、送信部１１または受信部１２をアンテナ１３に接続する切替スイッチ１４と、送信音声を入力するマイク１５と、受信音声を出力するスピーカ１６と、送信音声を適当なレベルに増幅するアンプ１７と、受信音声を適当なレベルに増幅するアンプ１８と、送信部１１の入力信号を切替えるスイッチ１９と、マイクロコンピュータ等で構成する無線機のＭＰＵ２０と、無線機に割当てられた識別番号を記憶するメモリ２１と、無線機の表示部２２と、ＰＴＴスイッチ２３と、識別信号を変調および復調するためのＭＳＫ（Minimum Sift Keying）モデム（変調／復調部）２４と、無線機に識別信号を外部から書き込むためのプログラマを接続するための外部インタフェース２５を有している。ＭＰＵ２０からは、前述あるいは後述する各部への制御信号２６が出力される。
【００１１】
さらに、無線機１は、無線機の動作モードを通常モードと第１識別信号確認モードと第２識別信号確認モードに切替るためのスイッチ２７と、ＭＳＫモデム２４の復調入力を受信部からの復調信号と送信部への変調信号入力の何れかに切替えるスイッチ２８と、符号化された受信識別信号を復号化して元の１２桁の番号に戻すための識別信号復号部２９を有している。このような構成の無線機１は、以下のように識別信号（ＡＴＩＳ（Automatic Transmitter Identification System）信号）の送出が義務付けられている。
【００１２】
ここで、識別信号は、無線機の種別毎に定めた番号、製造者番号、および１から始まる連番で構成される１２桁の番号である。通常ＭＳＫ変調方式で送信される。また送信時の信号フォーマットは、
（１）ビット同期信号、（２）フレーム同期信号、（３）識別データ信号で構成される。
識別データ信号は、１２桁の番号の１桁を４ビットの２進数に変換すると共に、誤り訂正符号を付加して６３ビットデータに符号化したものである。符号化方法の詳細は“ＲＣＲ  ＳＴＤ−９”（電波産業会の標準規格）による。
【００１３】
識別信号は、図２に示すように、無線機動作モードにおいて、送信信号の中で音声信号等の手前に設けられている。
一般的な無線機においては、無線機１で示された無線機の動作モードを通常モードと識別信号確認モードに切替るためのスイッチ２７、ＭＳＫモデム２４の復調入力を受信部からの復調信号と送信部への変調信号入力の何れかに切替えるスイッチ２８、符号化された受信識別信号を復号化して元の１２桁の番号に戻すための識別信号復号部２９等は設けられていない。
【００１４】
そこで、一般的な無線機においては、図３に示すように複数の無線機４０、４２の間で送信信号４１を送信する状況において、識別信号受信試験器４４等を用意して、無線機４２から信号４３を受け、識別信号受信試験器４４で正常な識別信号が無線機４０から送信されているかを判断しなければならない。
【００１５】
すなわち、識別信号受信試験器４４は、ＭＳＫモデム４５と、識別信号復号部４６と、表示部４７で構成される。ＭＳＫモデム４５は、復調出力４３に含まれるＭＳＫ変調された識別信号をデジタル信号に戻して識別信号復号部４６に出力する。
ここで、識別信号復号部４６は、符号化された識別信号を、元の１２桁の番号に復号化して表示部４７に対して出力する。表示部４７は、被試験無線機４０に割り当てられた１２桁の識別番号を表示する。この表示部の表示内容を確認することにより、被試験無線機４０から正常に識別信号が送出されていることを確認する。
【００１６】
無線機の生産・出荷時においては、通常は無線機の一台毎に、識別信号が正常に送出されていることを図３の構成で確認して出荷する。しかし、無線機が故障等により、出荷時に送信していた識別信号がその後に送信されなくなってしまう場合もあるので、上述した専用の識別信号受信試験器４４によって試験する必要がある。
【００１７】
・本発明に係る無線機１による識別信号の確認処理
ここで、本発明の一実施形態に係る図１の無線機１においては、専用の識別信号受信試験器４４を必要とせず、本体により識別信号を復号し検出して画面に表示することができる。すなわち、図１において、ＰＴＴスイッチ２３が押されることにより、ＭＰＵ２０は制御信号を供給して送信部１１を起動し、送信電波の発射を開始する。次にメモリ２１に記憶される識別信号を読み出し、ＭＳＫモデム２４に対して出力する。また制御信号をスイッチ１９に供給してスイッチ１９をＭＳＫモデム２４の出力側に切替える。これにより、まず識別信号が無線機から送出される。識別信号の送出が終了すると、ＭＰＵ２０は、制御信号をスイッチ１９に供給してスイッチ１９をマイク１５側に切替える。これにより、マイクからの送信音声が送出される。
【００１８】
次に、スイッチ２７が押されることで、通常モードから第１識別信号確認モードに切替えた場合の動作を説明する。受信時は、ＭＰＵ２０からの制御信号をスイッチ２８に供給することでスイッチ２８を受信部出力側に接続する。受信部１２で受信した識別信号はＭＳＫモデム２４により復調された後、識別信号復号部２９に入力し、元の１２桁の番号に復号され、ＭＰＵ２０に入力する。ＭＰＵ２０は通常は表示部２２に無線機のチャネル番号等を表示するが、第１識別信号確認モードでは図４に示すように、受信した識別番号を表示する。
【００１９】
以上説明した動作により、本発明に係る無線機２台を図４に示すように２台対向で用いて、一方の無線機から送出した識別番号を他方の無線機１の表示部２２に表示することにより、専用機を必要とせずに識別信号の送出の確認を行うことができる。
次に、スイッチ２７が再度押されて第２識別信号確認モードに切替えた場合の動作を説明する。通常動作モードと、第１識別信号確認モード、第２識別信号確認モードの切替は、一例としてスイッチ２７を押す毎に交互に切換わるものとする。
【００２０】
第２識別信号確認モードではＰＴＴスイッチ２３を押しても無線機１は送信しない。スイッチ１９はＭＳＫモデムの変調出力側に接続し、スイッチ２８は送信部１１への変調信号入力側に接続する。これにより、通常は送信部１１に入力する識別信号が折り返してＭＳＫモデム２４の復調入力に入る。次に識別信号復号部２９で元の１２桁の番号に復号し、ＭＰＵ２０に入力する。ＭＰＵ２０は、通常は表示部２２に相手の無線機のチャネル番号等を表示するが、第２識別信号確認モードでは自己の無線機１が送信する識別番号を表示する。
【００２１】
以上説明した動作により、本発明に係る無線機１によれば、無線機単独で自己の送出する識別信号および相手の無線機の識別信号が、専用の識別信号受信試験器４４を用いることなく正常に出力されていることの確認を行うことが可能である。
【符号の説明】
【００２２】
１１…送信部、１２…受信部、１３…アンテナ、１４…切替スイッチ、１９…スイッチ、２０…ＭＰＵ、２１…メモリ、２２…表示器、２７…動作モード切替スイッチ、２８…スイッチ、２９…識別信号復号部。
【図１】
2010213077.tif 000003
【図２】
2010213077.tif 000004
【図３】
2010213077.tif 000005
【図４】
2010213077.tif 000006
【図５】
2010213077.tif 000007